(57)【特許請求の範囲】
【請求項１】
パネルと、サーバと、ユーザのＩＣタグと、前記ユーザの端末装置とから成る予約システムであって、
前記パネルは、
広告情報を表示する表示手段と、
前記ＩＣタグのタグＩＤを読み取るタグリーダと、
通信回線を介して前記ＩＣタグのタグＩＤと前記パネルの識別ＩＤを前記サーバに送信する手段と、
を具備し、
前記サーバは、
前記ユーザのＩＣタグのタグＩＤと前記ユーザの仮予約の通知先を含むユーザ登録情報が記録されたタグＩＤデータベースと、
前記パネルの識別ＩＤと前記広告情報を含む予約管理情報が記録されたサービスデータベースと、
前記タグＩＤと前記識別ＩＤを前記パネルから受信する手段と、
前記受信したタグＩＤの認証を行う手段と、
前記タグＩＤと前記識別ＩＤを受信した後、前記予約管理情報を更新することにより、前記パネルが前記タグＩＤを読み取ったとき表示していた前記広告情報への仮予約を行う手段と、
前記受信したタグＩＤのユーザの端末装置に、ネットワークを介して前記仮予約の通知を送信する手段と、
を具備し、
前記端末装置は、前記仮予約の通知を受信した後、前記ネットワークを介して、前記サーバに前記広告情報への本予約または前記仮予約の取り消しの通知を送信することを特徴とする予約システム。
【請求項２】
前記サーバは、前記受信したタグＩＤと、前記タグＩＤデータベースの内容とを照合して、前記ＩＣタグを保有するユーザの認証を行なうことを特徴とする請求項１に記載の予約システム。
【請求項３】
前記ＩＣタグは、パッシブタイプのＩＣタグであることを特徴とする請求項１または請求項２のいずれかに記載の予約システム。
【請求項４】
前記タグリーダは、前記表示手段による表示の後方に配置されることを特徴とする請求項１乃至請求項３のいずれかに記載の予約システム。
【請求項５】
ユーザのＩＣタグのタグＩＤと前記ユーザの仮予約の通知先を含むユーザ登録情報が記録されたタグＩＤデータベースと、
パネルの識別ＩＤと前記パネルに表示する広告情報を含む予約管理情報が記録されたサービスデータベースと、
前記パネルから、通信回線を介して送信される、前記パネルのタグリーダが読み取った前記ＩＣタグのタグＩＤと、前記識別ＩＤを受信する手段と、
前記受信したタグＩＤを認証する手段と、
前記タグＩＤと前記識別ＩＤを受信した後、前記予約管理情報を更新することにより、前記パネルが前記タグＩＤを読み取ったとき表示していた前記広告情報に対して仮予約を行う手段と、
前記仮予約の通知を、ネットワークを介して、前記受信したタグＩＤのユーザの端末装置に送信する手段と、
前記仮予約の通知を送信した後、前記端末装置から、前記ネットワークを介して、前記広告情報への本予約または前記仮予約の取り消しの通知を受信する手段と、
を、具備することを特徴とするサーバ。
【請求項６】
前記受信したタグＩＤと、前記タグＩＤデータベースの内容とを照合して、前記ＩＣタグを保有するユーザの認証を行なうことを特徴とする請求項５に記載のサーバ。
【請求項７】
前記ＩＣタグは、パッシブタイプのＩＣタグであることを特徴とする請求項５または請求項６のいずれかに記載のサーバ。
【請求項８】
前記タグリーダは、前記表示手段による表示の後方に配置されることを特徴とする請求項５乃至請求項７のいずれかに記載のサーバ。
【請求項９】
コンピュータを、請求項５に記載のサーバとして機能させるためのプログラム。
【請求項１０】
コンピュータを請求項５に記載のサーバとして機能させるためのプログラムを記録した記録媒体。
【発明の詳細な説明】
【０００１】
【発明の属する技術分野】
本発明は、広告情報を表示したパネルにＩＣタグを認識させ、広告情報の仮予約を行う予約システムに関する。
【０００２】
【従来の技術】
従来、コンサートのチケットや、野球・サッカーのチケット類は、購入者が雑誌・ポスター・その他のメディアから情報を得て、プレイガイドやコンビニエンスストアで予約又は購入する。また、電話やインターネットのホームページ等で予約、購入することもできる。
【０００３】
また、携帯電話やＰＨＳのインターネット接続機能を利用して、予約を行うこともできる。さらに、携帯電話やＰＨＳ等に内蔵する無線手段Ｂｌｕｅｔｏｏｔｈを用いて予約等を行うことも考えられている。
【０００４】
【発明が解決しようとする課題】
しかしながら、街角や駅構内のポスターや表示装置等を見て、その場でチケット予約を行う手段はなかった。
【０００５】
また、例えば街角や駅構内の表示装置に送受信機を取り付け、無線手段Ｂｌｕｅｔｏｏｔｈで通信を行って、チケット等の予約を行うとすると、特に無線手段Ｂｌｕｅｔｏｏｔｈを有する装置自体の構造が複雑になり、コストもかかる。
【０００６】
本発明は、このような問題に鑑みてなされたもので、その目的とするところは、ＩＣタグを利用して、広告情報表示装置を介して広告情報の仮予約を行う予約システムを提供することにある。
【０００７】
前述した目的を達成するために第１の発明は、パネルと、サーバと、ユーザのＩＣタグと、前記ユーザの端末装置とから成る予約システムであって、前記パネルは、広告情報を表示する表示手段と、前記ＩＣタグのタグＩＤを読み取るタグリーダと、通信回線を介して前記ＩＣタグのタグＩＤと前記パネルの識別ＩＤを前記サーバに送信する手段と、を具備し、前記サーバは、前記ユーザのＩＣタグのタグＩＤと前記ユーザの仮予約の通知先を含むユーザ登録情報が記録されたタグＩＤデータベースと、前記パネルの識別ＩＤと前記広告情報を含む予約管理情報が記録されたサービスデータベースと、前記タグＩＤと前記識別ＩＤを前記パネルから受信する手段と、前記受信したタグＩＤの認証を行う手段と、前記タグＩＤと前記識別ＩＤを受信した後、前記予約管理情報を更新することにより、前記パネルが前記タグＩＤを読み取ったとき表示していた前記広告情報への仮予約を行う手段と、前記受信したタグＩＤのユーザの端末装置に、ネットワークを介して前記仮予約の通知を送信する手段と、を具備し、前記端末装置は、前記仮予約の通知を受信した後、前記ネットワークを介して、前記サーバに前記広告情報への本予約または前記仮予約の取り消しの通知を送信することを特徴とする予約システムである。
【０００８】
パネルは、街角や駅構内やコンビニエンスストアやショッピングセンタ等に設置され、広告情報（チケット予約情報等）を表示する。
タグリーダはパネルに備えられており、ユーザがチケットを予約する意思を持ってＩＣタグを近づけて動かした時に、データを読み取る装置である。
ＩＣタグは、予約システムに登録したユーザに配布され、ユーザを認識するためのタグＩＤ情報をデータとして有する。小型薄型で、電源を使用しない簡単な構造を持つ。
第１の発明の予約システムでは、パネルは広告情報を表示し、タグリーダでユーザのＩＣタグのデータを読み取ってサーバに送る。サーバは、ＩＣタグの認証を行い、広告情報への仮予約を行い、ユーザが指定する端末装置に仮予約の通知を行う。ユーザは後で本予約を行う。
【００１１】
第２の発明は、ユーザのＩＣタグのタグＩＤと前記ユーザの仮予約の通知先を含むユーザ登録情報が記録されたタグＩＤデータベースと、パネルの識別ＩＤと前記パネルに表示する広告情報を含む予約管理情報が記録されたサービスデータベースと、前記パネルから、通信回線を介して送信される、前記パネルのタグリーダが読み取った前記ＩＣタグのタグＩＤと、前記識別ＩＤを受信する手段と、前記受信したタグＩＤを認証する手段と、前記タグＩＤと前記識別ＩＤを受信した後、前記予約管理情報を更新することにより、前記パネルが前記タグＩＤを読み取ったとき表示していた前記広告情報に対して仮予約を行う手段と、前記仮予約の通知を、ネットワークを介して、前記受信したタグＩＤのユーザの端末装置に送信する手段と、前記仮予約の通知を送信した後、前記端末装置から、前記ネットワークを介して、前記広告情報への本予約または前記仮予約の取り消しの通知を受信する手段と、を、具備することを特徴とするサーバである。
【００１２】
第３の発明のサーバは、パネルから送られるＩＣタグのデータを受信し、ＩＣタグのデータからユーザを認証し、パネルに表示する広告情報に対して仮予約を行う。更に仮予約の成立をネットワークを介して、ユーザの指定する端末装置に通知する。
【００１３】
第３の発明は、コンピュータを、第２の発明のサーバとして機能させるためのプログラムである。
【００１４】
第３の発明のプログラムは、コンピュータを第２の発明のサーバとして機能させるものであり、このプログラムをネットワークを介して流通させることもできる。
【００１５】
第４の発明は、コンピュータを第２の発明のサーバとして機能させるためのプログラムを記録した記録媒体である。
【００１６】
第４の発明の記録媒体は、コンピュータを第２の発明のサーバとして機能させるプログラムを記憶しており、この記録媒体を流通させることもでき、またこのプログラムをネットワークを介して流通させることもできる。
【００１７】
【発明の実施の形態】
以下、図面に基づいて本発明の実施の形態を詳細に説明する。図１は、本発明の実施の形態に係る予約システム１の構成を示す図である。予約システム１は、サーバ５と、パネル３と、ユーザ７に配布するＩＣタグ９と、ユーザ７が指定する端末装置３５とで構成される。
【００１８】
パネル３は、街角、駅構内、コンビニエンスストア、ショッピングセンタ、ホテル等の広告効果のある場所、利用しやすい場所に設置する。パネル３は、表示部１１、演算部１３、通信部１５、タグリーダ１７で構成される。表示部１１は、表示装置であり、ＣＲＴ、液晶ディスプレイ、プラズマディスプレイ等である。尚、表示部１１は動画表示装置に限らず、静止画を表示する装置でも良い。或いは写真やポスター等であっても良い。又、パネル３に表示する広告情報は、パネル設置場所や時間帯によって異なり、「どのパネルに何時どの広告情報を表示している」という情報は、後述するデータベース１９のサービスデータベース２３が、パネル固有のＩＤに対応させて記録している。
【００１９】
演算部１３は、パネル３の表示部１１、タグリーダ１７、通信部１５等を制御する。詳細は図３に示し、後述する。
【００２０】
タグリーダ１７は、ユーザ７がパネル３に表示された広告情報（チケット等）を予約する意思をもって、ＩＣタグ９を近づけて動かした時に、このＩＣタグ９の有するデータ（以降、タグＩＤ４３と記述する）を読み取る。タグリーダ１７とＩＣタグ９とは、無線３９で通信を行う。タグリーダ１７とＩＣタグ９の動作については、図２で詳細に説明する。
【００２１】
タグリーダ１７が読み取ったＩＣタグ９のタグＩＤ４３は、演算部１３に送られ、さらに通信部１５から、通信回線４１を介してサーバ５に送られる。尚、通信回線４１は、有線回線、又は無線回線、又はネットワーク等である。
【００２２】
サーバ５は、タグ信号受信部２５と、演算部３３と、データベース１９と、通信部３１とで構成される。尚、演算部３３は、ＩＤ識別判定部２７とサービス発行部２９とで構成される。又、図１ではタグ信号受信部２５と通信部３１とを別の装置として説明するが、共通の通信装置として構成しても良い。
【００２３】
サーバ５のデータベース１９は、タグＩＤデータベース２１と、サービスデータベース２３とで構成される。タグＩＤデータベース２１は、予約システム１の登録利用者の情報を記録し管理している。例えば、登録利用者の氏名、住所、電話番号、Ｅメールアドレス、配布したＩＣタグ９のタグＩＤ４３、予約成立の通知先（登録利用者のパソコンや携帯電話のＥメールアドレス等）を記録している。サービスデータベース２３は、予約管理の情報を記録し管理する。即ち、パネル固有のＩＤと、パネルに表示する広告情報と、パネルの設置場所等の対応データが記憶されている。広告情報（チケット等）に予約が入る都度、どのパネルから、どのチケットに予約が入ったか、残り座席数は幾つか、等のデータが更新される。
【００２４】
タグ信号受信部２５は、パネル３から通信回線４１を介して、チケット予約を希望するユーザのタグＩＤ４３を受信する。また、送信側パネル３の識別ＩＤ（パネル固有のＩＤ）も受信する。更に、予約する広告情報（チケット）の固有ＩＤ情報を受信しても良い。
【００２５】
演算部３３のＩＤ識別判定部２７は、受信したタグＩＤ４３と、データベース１９のタグＩＤデータベース２１の内容とを照合し、タグＩＤ４３が配布されたユーザ７を識別する。また、ユーザ７が指定する予約通知先（即ち、端末装置３５）を抽出する。
【００２６】
演算部３３のサービス発行部２９は、サービスデータベース２３の内容との照合を行い、チケットの予約処理を行う。また、予約処理後にサービスデータベース２３の内容を更新する。例えば、「第何号機のパネルから何のチケットの予約を受信した」「予約者のタグＩＤ４３は、○○」等の情報をサービスデータベース２３に記録していく。
【００２７】
タグＩＤ４３を有するユーザ７が、あるチケットに仮予約を入れ、仮予約が成立すると、通信部３１はユーザ７の指定した予約連絡先（即ちユーザ７の端末装置３５）にチケット仮予約成立の通知を行う。通信部３１と、ユーザ７の端末装置３５とは、ネットワーク３７で接続される。端末装置３５は、パソコン、携帯電話、ＰＨＳ、ＰＤＡ等である。
【００２８】
チケット仮予約成立の通知を受けたユーザ７は、その予約内容を確認した上で本予約を行う。また、誤予約が行われていた場合や、予約の意思が無くなった場合には、仮予約の取り消しを行う。即ち、ユーザ７は、端末装置３５からネットワーク３７を介してサーバ５に接続し、本予約又は予約取り消しの処理を行う。尚、本予約や予約取り消し処理を行うために、サーバ５とは別のサーバを置いても良い。
【００２９】
図２は、図１におけるパネル３のタグリーダ１７と、ユーザ７の持つＩＣタグ９について示した図である。
【００３０】
予約システム１の利用を希望するユーザ７は、利用者登録を行ったのち、ＩＣタグ９を配布される。尚、利用者登録データ（即ち、登録利用者の氏名、住所、電話番号、Ｅメールアドレス、配布したＩＣタグ９のタグＩＤ４３、予約成立の通知先等）は、前述のサーバ５のタグＩＤデータベース２１に記録される。ＩＣタグ９は、ループアンテナ５５と半導体素子であるメモリ５７とで構成される。メモリ５７内には、ユーザ７を認証するためのタグＩＤ４３が記録されている。
【００３１】
本発明において「ＩＣタグ」とは、一般にＲＦＩＤ（Ｒａｄｉｏ  Ｆｒｅｑｕｅｎｃｙ  Ｉｄｅｎｔｉｆｉｃａｔｉｏｎ）タグとも呼ばれているものであり、特定周波数の質問電波を受信したときに、識別情報を含む応答電波を送信する非接触識別タグのことを指す。ＩＣタグには、応答電波を送信するための電源を備えているアクティブタイプと、外部から供給される電磁波を整流することにより駆動電力を得る（無電池方式）パッシブタイプとの２種類があり、本発明において好適に用いられるのは後者のパッシブタイプのＩＣタグである。ＩＣタグ９は小型薄型の形状であり、例えばクレジットカード大のプラスチックカードに埋め込まれてユーザ７に配布される。或いは、携帯電話、ＰＨＳ、ＰＤＡ等の端末装置や、ユーザ７が好きな物に貼り付けるシール状のものとして配布される。このように、パッシブタイプのＩＣタグはアクティブタイプよりかなり小さく軽い上に、価格も安く実質的に寿命の制限が無いため、ユーザ７に対して郵送で送付し、使用させるのに都合がよい。
【００３２】
タグリーダ１７は、送受信装置５１とアンテナ５３とで構成され、パネル３の例えば表示部１１に隣接して設置される。パネル３が表示するチケット予約内容に対して、予約する意思を持つユーザ７が、タグリーダ１７にＩＣタグ９を近づけて動かすことによりＩＣタグ９のタグＩＤ４３を読み取らせる。従って、パネル３に近づいたユーザ７が誤って予約することがないように、タグリーダ１７の読み取りの物理的距離は、例えば１０ｃｍに設定する。パッシブタイプのＩＣタグ９を用いた場合、この物理的距離の調整をシステムの提供者がコントロールすることが可能である。即ち、パネル３付近の混雑が激しい時に、この物理的距離を短くして（タグリーダ１７の受信感度を下げて）誤動作を減らす、等の操作を自在に行うことができる。
【００３３】
次に、タグリーダ１７が、ＩＣタグ９のタグＩＤ４３を読み取る手段について説明する。タグリーダ１７の送受信装置５１は、例えば１３．５６ＭＨｚの信号５９を一定間隔で送出している。ユーザ７がＩＣタグ９をタグリーダ１７に近づけて動かすことにより、ＩＣタグ９のループアンテナ５５には信号５９による電磁誘導が生じ、電力が生じる。ＩＣタグ９は、この電力を利用してメモリ５７に記録されたタグＩＤ４３を含む信号６１を、タグリーダ１７に向けて送信する。タグリーダ１７は、送受信装置５１でタグＩＤ４３を受信する。
【００３４】
図３は、パネル３の演算部１３が行う制御を示す図である。マスターコントロール７１は、演算部１３の主制御を示す。即ち、制御の初期化、表示部１１やタグリーダ１７等からの設定割り込み待機、タグリーダ１７からのシリアルコントロールレポート待機、応答表示起動である。シリアルコントロール７３は、タグリーダ１７への制御である。タグリーダ１７の初期化、待機監視、トリガーレポート、リフレッシュ処理を行う。
【００３５】
グラフィックコントロール７５は、表示部１１への制御である。即ち、初期化、待機表示、応答表示、待機帰還の制御を行い、表示画像８１を表示部１１に表示させる。システムイベント７７は、演算部１３が物理的に備えるキーボード等から割り込みが起こったときの処理である。即ち、キーボード割り込みによる設定、終了処理である。
【００３６】
設定ファイル７９は、表示画像に関するデータである。即ちシリアルポート切り替え、待機画像指定、待機画像周期、応答画像指定、応答画像周期等のデータである。
【００３７】
図４、図５は、予約システム１のフローチャートである。ユーザ７が、コンサートの予約を行う手順について、図４、図５に沿って説明する。
【００３８】
ユーザ７は、事前にこの予約システム１の利用者登録をする。ユーザ７には、予約システム１利用のためのＩＣタグ９が配布される。また、サーバ５のタグＩＤデータベース２１には、ユーザ７の利用者登録データ（即ち、ユーザ７の氏名、住所、電話番号、Ｅメールアドレス、配布したＩＣタグ９のタグＩＤ４３、予約成立の通知先である端末装置３５）が登録される。
【００３９】
パネル３の表示部１１には、例えば「○○オーケストラのコンサート」の広告画面が表示されている（ステップ４０１）。また、例えば「このコンサートのチケットの予約を希望する会員の方は、会員証（ＩＣタグ９が添付されている）を、＜予約する＞の表示の前でスキャンして下さい。」の表示がされる。＜予約する＞の表示の後方には、タグリーダ１７が配置されている。
【００４０】
ユーザ７は、パネル３（即ちタグリーダ１７）に、ＩＣタグ９を近づけて動かす（ステップ４０２）。タグリーダ１７から送出されている信号５９をループアンテナ５５で受け、電力を生じたＩＣタグ９は、メモリ５７に記録されているタグＩＤ４３を含む信号６１を、タグリーダ１７向けに送信する（ステップ４０３）。
【００４１】
タグリーダ１７は、アンテナ５３及び送受信装置５１で、タグＩＤ４３を受信する（ステップ４０４）。パネル３の演算部１３は、タグＩＤ４３を検出し、通信部１５が通信回線４１を介してサーバ５に送る（ステップ４０５）。通信回線４１は、有線回線、又は無線回線、又はネットワークである。
【００４２】
パネル３の表示部１１は、コンサートの「残席数」等を表示する（ステップ４０６）。また、ユーザ７が複数枚のチケット予約をする場合には、例えば再度ＩＣタグ９をパネル３に近づけて動かし、認識させる等の方法をとる。
【００４３】
パネル３の表示は、一定時間後、初期表示画面にもどる（ステップ４０７）。
【００４４】
サーバ５のタグ信号受信部２５は、パネル３からタグＩＤ４３を受信する（ステップ４０８）。尚、受信信号にはタグＩＤ４３と共に、送信側パネル３の識別ＩＤ（パネル固有のＩＤ）やチケットの種類を示すＩＤ等も含まれる。
【００４５】
演算部３３のＩＤ識別判定部２７は、タグＩＤデータベース２１を検索し、受信したタグＩＤ４３と照合して、会員（ユーザ７）を識別する（ステップ４０９）。即ち、タグＩＤデータベース２１に記録されている、登録利用者の氏名、住所、電話番号、Ｅメールアドレス、配布したＩＣタグ９のタグＩＤ４３、予約成立の通知先（登録利用者のパソコンや携帯電話のＥメールアドレス等）から、タグＩＤ４３を配布されたユーザ７を割り出す。
【００４６】
次に、サービス発行部２９は、サービスデータベース２３と連動し、ユーザ７が希望するコンサートのチケットの仮予約を行う（ステップ４１０）。サービスデータベース２３は、予約管理情報を記録しており、チケット毎の残席数や、何号機のパネルから、どのイベントにいつ予約が入ったか、等の情報がその都度更新され記録される。
【００４７】
通信部３１は、ユーザ７が指定する端末装置３５に、ネットワーク３７を介してコンサートのチケットの仮予約成立を通知する（ステップ４１１）。ユーザ７の端末装置３５は、仮予約成立の通知を受ける（ステップ４１２）。
【００４８】
ユーザ７は、チケット仮予約の内容を確認し、端末装置３５からネットワーク３７を介して本予約を行う（ステップ４１３）。サーバ５は、ユーザ７からの本予約の通知を受ける（ステップ４１４）。尚、ユーザ７が、誤って仮予約を行った場合や、チケットが不要になった場合等には、サーバ５に仮予約を取り消す通知を行う。また、図１には示していないが、本予約を受けるための、独立した別のサーバを設ける構成にしても良い。
【００４９】
この予約システム１を運用する業者は、予約システム１の利用者登録を行いＩＣタグが配布されたユーザ７に対して課金する。又は、イベント等の情報をパネル３に表示して提供する業者に対して課金する。又は、チケット予約の成立に応じて、チケット料金の一定割合を、業者又はユーザ７に対して課金する。或いはこれら複数の課金方法を組み合わせて併用する。
【００５０】
尚、パネル３には、演算部１３が制御することにより、複数のチケット提供業者が予約広告を表示することができる。例えば、一定時間ごとにイベントのチケット予約内容の表示を変える。又、時間帯ごとに、通行する人の年代や性別に合ったイベント情報を表示する。この制御情報は、前述したサービスデータベース２３が、パネル固有のＩＤと、広告情報のＩＤと、時間帯データとを対応させて記録している。
【００５１】
尚、パネル３の演算部１３をネットワークに接続して、サーバ５の演算部３３から、直接パネル３を制御する方法にしてもよい。即ち、パネル３の表示部１１の表示内容等をサーバ５からの指定で行うようにすることもできる。
【００５２】
このように、本実施の形態によれば、ユーザ７は、街角で広告情報（チケット予約情報等）を表示したパネル３に、ＩＣタグ９を近づけて動かすという簡単な操作で、該チケットの仮予約を行うことができる。また、仮予約を予め指定したユーザ７の端末装置３５で確認した上で、本予約又は予約の取り消しを行うので、確実な予約操作を行うことができる。
【００５３】
又、本実施の形態によるＩＣタグ９は、小型薄型形状をしており、例えば予約システム１の会員証（カード型）に埋め込んだり、シール形状にして、ユーザ７が利用しやすい物に貼り付けたりすることができるので、携帯に便利で利用が簡単である。更に、ＩＣタグ９は、ループアンテナ５５と半導体素子であるメモリ５７からなる簡単な構造なので、製造が簡単でコストが安い。又、ＩＣタグ９自体に電源が不要なので、半永久的に使用でき、メンテナンスが不要である。
【００５４】
又、本発明では、パネル３とサーバ５間の通信情報量が少ない（データとしては、タグＩＤ、パネル固有のＩＤ、広告情報ＩＤ等）ので、通信コストが安価である。
【００５５】
又、サーバ５のサービスデータベース２３に記録される情報（例えば、どの場所に設置したパネル３のどのイベント情報に、どのような年代の人から、何時頃予約が入るか）を、予約システム１にフィードバックしてより効率の良いシステムを構築することができる。或いはサービスデータベース２３に記録される上記の情報を、マーケティング情報として、必要とする業者に販売することができる。即ち、広告情報設置場所、予約者の世代構成、予約時間帯等のデータを分析することで、例えばスポーツ用品店の出店、ライブハウスの出店、コンビニエンスストアの出店等の事前検討資料として販売する。
【００５６】
又、本発明は、チケット等の広告情報に限らず、その他広範囲の商行為に応用することができる。
【００５７】
【発明の効果】
以上、詳細に説明したように本発明によれば、ＩＣタグを利用して、広告情報表示装置を介して広告情報の仮予約を行う予約システムを提供することができる。
【図面の簡単な説明】
【図１】本発明の実施の形態に係る予約システム１の構成を示す図
【図２】タグリーダ１７とＩＣタグ９の構成を示す図
【図３】パネル３の動作を示す図
【図４】予約システム１のフローチャート
【図５】予約システム１のフローチャート
【符号の説明】
１・・・ 予約システム
３・・・ パネル
５・・・ サーバ
７・・・ ユーザ
９・・・ ＩＣタグ
１１・・・ 表示部
１３・・・ 演算部
１５、３１・・・ 通信部
１７・・・ タグリーダ
１９・・・ データベース
２１・・・ タグＩＤデータベース
２３・・・ サービスデータベース
２５・・・ タグ信号受信部
２７・・・ ＩＤ識別判定部
２９・・・ サービス発行部
３３・・・ 演算部
３５・・・ 端末装置
３７・・・ ネットワーク
３９・・・ 無線通信
４１・・・ 通信回線
５１・・・ 送受信装置
５３・・・ アンテナ
５５・・・ ループアンテナ
５７・・・ メモリ
５９、６１・・・ 信号
【図１】
0004698882.tif 000002
【図２】
0004698882.tif 000003
【図３】
0004698882.tif 000004
【図４】
0004698882.tif 000005
【図５】
0004698882.tif 000006